(57)【要約】      （修正有）【課題】盛装や薄毛隠しなどの目的で、頭部にフルウィッグまたは部分ウィッグを装着した際の、人工的かつ不自然な外観となりやすい箇所に対し、圧迫感なく覆い隠す事を可能にしながら、ヘアアクセサリーとしても違和感のない外見の留め具式カチューシャを提供する。【解決手段】布や皮などの柔らかい材料でカチューシャの形状を形成したので、プラスチック製などのカチューシャと比べると頭部の形に添いやすく、部分ウィッグの留め具部分の上に重ねても圧迫感がない。ウィッグ使用時でも留めやすい留め具１を両端に有することにより、フルウィッグおよび部分ウィッグ装着時の、人工的なつむじ部分や地毛との境目、外側から見えてしまうことがある部分ウィッグの留め具部分などに対し、覆い隠したい位置で装着することができて、ずれにくくなった。【選択図】図１
0003217520.tif 000002
【実用新案登録請求の範囲】
【請求項１】
柔軟性を有する生地または布を用いてカチューシャ様に形成するとともに、その裏側とする面の両端部分に、頭部用の留め具を設けて成ることを特徴とする、留め具式カチューシャ。
【考案の詳細な説明】
【先行技術文献】
【特許文献】
【０００１】
【特許文献１】日本国特許庁公開特許公報/国際特許分類第7版/特開２００１−８７０３０（Ｐ２００１−８７０３０Ａ）/公開日、平成13年4月3日
【考案の概要】
【考案が解決しようとする課題】
【０００２】
主に女性において、盛装する目的や薄毛を隠すなどの目的でフルウィッグや部分ウィッグなどを頭部に装着した際、フルウィッグの人工的な外観のつむじや、部分ウィッグと地毛との不自然な境目を隠すために、帽子や一般的なカチューシャ、ヘアバンドやヘアバンドの様式であるカチュームなどを用いる事がある。 しかし、帽子の場合では、蒸れる、マナー的に脱帽しなくてはならない場所での着用に適さない、洋服によっては合わせづらい、などの問題点が挙げられる。 一般的なカチューシャの場合では、帽子よりも用途は広いが、隠したい位置からずれやすいことがある。特に部分ウィッグ装着時に地毛との境目を隠すために使用する場合では、カチューシャの材料にプラスチックなどが用いられていることが多く柔軟性に欠けるため、部分ウィッグの留め具部分の上に重ねると、不整合を起こしたり頭皮が圧迫されるなどして、装着感が悪くなることがある。また、カチューシャの形が、個人によっては頭の形に合わないこともある。 ヘアバンド、ヘアバンド様式のものは、柔らかくフィット感もあるので、部分ウィッグの留め具部分と重なっても特に問題は無いが、前髪の生え際付近、耳のすぐ上、襟足を結ぶ線を一周するのが一般的な使用例なので、フルウィッグ装着時に用いた場合では、襟足でウィッグの生え際が露出してしまうことがあり、外観が不自然になりやすい。また、頭部を一周するので髪型が限定されやすく、使用者の抱くイメージと異なってしまうことがある。
【課題を解決するための手段】
【０００３】
上記の問題点に対応するため、本考案は、布や皮などの柔らかい材料を用いて、一般的なカチューシャの形状を形成した。一般的なカチューシャを縦方向にして見た時、中間部分の横幅に対して両端部分の横幅が少し狭くなっている場合が多く、この形状は装着し易さの点で理にかなっているため、この形状を模したものである。 その両端部分の裏面には、クリップ式の留め具を取り付けた。 中間部分の内部にはワイヤーを入れた。
【考案の効果】
【０００４】
本考案の形状は、一般的なカチューシャとほぼ同じなので、帽子よりも頭を覆う範囲が狭く、蒸れにくい。 プラスチックなどを材料とするカチューシャと違い柔らかいので、部分ウィッグ装着時に用いる場合、部分ウィッグの留め具部分と重なっても不快感が無く、頭の形に添うように装着できるため、頭の形を選ぶこともない。また、頭の形に添わせて両端部分をクリップ式の留め具で留めるのでずれにくく、この留め具は地毛にもウィッグにも留めやすいため、一般的なカチューシャに比べて、覆い隠したい位置での装着が可能である。 中間部分に挿入したワイヤーで、装着時の安定感を高めた。 カチューシャの形状であるため、頭部を一周する形状であるヘアバンドやヘアバンド様式のものよりも、対応できる髪型が多い。
【図面の簡単な説明】
【０００５】
【図１】本考案の斜視図である。
【図２】本考案の内部構造である。
【図３】本考案の製作過程における表側になる面の平面図である。
【図４】本考案の別の実施例の部分品の製作過程における平面図である。
【図５】本考案の別の実施例の製作過程における裏側とする面の平面図である。
【図６】本考案の別の実施例の斜視図である。
【考案を実施するための形態】
【０００６】
本考案の実施形態について、主に図面を参照して説明する。
【実施例】
【０００７】
（実施例１）
本実施例では、図１(1)のクリップ式の留め具を両端部分の裏面に縫い付けた。この留め具は部分ウィッグにおいてよく用いられており、留めやすさの点で地毛にもウィッグにも適している。
（図２）１枚の生地を、表に返したときに二重の筒状になるように縫い合わせ、表に返したのち、内部に形成された筒状の部分（２）の中に、中間部分により安定感を出すため、先端にキャップを  
つけたワイヤー（３）を挿入した。扱いやすさと環境面から、金属製のワイヤーよりもポリエチレン製のワイヤーがより好ましい。
（図３）筒状の長方形の状態から、端部分の両脇を内側に折り畳んで破線部(４)の位置で谷折りにして縫い留めると(５)の形状になり、カチューシャと同じ、中間部分の横幅よりも両端部分の横幅が狭い形状となる。
（実施例２）
【０００８】
別の実施例２を、図４、図５、図６に基づいて説明する。留め具固定用のリボン（６）の中ほどの破線部(７)に折り目を付ける。そして、その破線部（７）の近傍でありカチューシャの裏面側とする箇所に留め具(１)を縫い付けてから、破線部（７）で二つ折りに返して裏を両面テープで貼り合わせる。次に、横長に形成したカチューシャ生地の両端の両角を、破線部（８）で三角に折り返して、カチューシャ生地の端（９）の幅を狭くする。そして、留め具を固定したリボン（６）の、折り目とは反対側の端と、カチューシャ生地の端(９)とを、留め具（１）がカチューシャの裏面側に位置するように重ねて配置して両面テープで貼付し、その両者のつなぎ目を、別のリボン（１０）で、両面テープを用い、巻くように包み込んで貼付し固定する。留め具固定箇所の表面側(1１)は、リボン（６）を折り返してあるので、留め具（１）を縫い付けた糸は露出していない。本実施例２にはワイヤー（３）を使用せず、カチューシャ生地の内部を筒状（２）に加工もしていない。上記では、カチューシャ生地の両端の両角を三角に折り返して端の幅を調整しているが、カチューシャ生地の端の幅とリボンの幅が合う場合は、両角を折らなくても良い。また、上記では留め具はクリップ式を用いたが、髪やウィッグに留まれば、別の頭部用の留め具を用いても良い。リボンの固定方法については、上記では全て両面テープで貼付して固定しているが、しっかりと固定されるのであれば、別の固定方法を用いても良い。実施例１と比べて、リボン（６）を用いて留め具（１）を有する箇所の厚みを薄くしたことにより、全体的に頭部との密着性が高まって、ワイヤー（３）なしでも十分な安定感が出た。また、カチューシャ生地の端（９）にリボン（６）、別のリボン（１０）を重ねて取り付けることにより、生地の端処理が容易になった。
【符号の説明】
【０００９】
１  留め具
２  内部の筒状の部分 
３  先端キャップ付きワイヤー
４  端部分の両脇を内側に折り畳んだのち谷折りにする部位
５  ４と同様に実行したのち縫い留めた際の形状
６  留め具固定用リボン
７  リボンの折り返し線
８  カチューシャ生地の折り返し線
９  カチューシャ生地端部
１０  端部つなぎ目包み込み用のリボン
１１  留め具固定箇所の表面側
【図１】
0003217520.tif 000003
【図２】
0003217520.tif 000004
【図３】
0003217520.tif 000005
【図４】
0003217520.tif 000006
【図５】
0003217520.tif 000007
【図６】
0003217520.tif 000008